(57)【要約】【課題】  コンパクトディスクやデジタルバーサティルディスク（以下ＣＤ・ＤＶＤと称す）自体の両面を露出させたまま卓上等に接触させることなく保持できるＣＤ・ＤＶＤ専用ホルダーを提供すること。【解決手段】  本ホルダーは、主要部分（以下ヘッドと称す）を、ＣＤ・ＤＶＤの中央円孔に通した際、先端から任意の位置で該ヘッドの直径がＣＤ・ＤＶＤの中央円孔の直径の近似値である１５ミリメートル程度に達する斜度または円弧を形成させることにより、該中央円孔を塞ぎＣＤ・ＤＶＤの両面を卓上等に接触させることなく保持できることを特徴としている。さらに、該ヘッドと支柱と台座を組み合わせて本ホルダーを構成させることにより様々な箇所に設置することを可能としている。【選択図】    「図２」
2005212897.tif 000002
【特許請求の範囲】
【請求項１】
コンパクトディスクやデジタルバーサティルディスク（以下ＣＤ・ＤＶＤと称す）フローティングホルダーの主要部分（以下ヘッドと称す）の形態は、先端の直径または幅がＣＤ・ＤＶＤの中央円孔よりも小さく（ｘ）、容易にＣＤ・ＤＶＤの中央円孔に差し込めることができる寸法であり、先端から任意の位置（２ｂ）で該ヘッドの直径または幅がＣＤ・ＤＶＤの中央円孔の直径の近似値である１５ミリメートル程度に達する斜度または円弧で形成させる事により、該斜度または円弧の延長上にある該ヘッドの底面部分（ｙ）の直径または幅はＣＤ・ＤＶＤの中央円孔よりも大きい形態となる。したがって、該ヘッドの形態により、ＣＤ・ＤＶＤの中央円孔を該ヘッドに通した際、ＣＤ・ＤＶＤの中央円孔が該ヘッドの任意の位置で塞がれることにより、ＣＤ・ＤＶＤの両面を露出させたまま卓上等に接触させることなく保持する事が可能である事を特徴とする該ヘッドを有するＣＤ・ＤＶＤフローティングホルダー。
【請求項２】
「請求項１」に記載した特徴を有する円錐型ヘッド（１ａ）は、ＣＤ・ＤＶＤの中央円孔をすき間なく塞ぐことにより、安定した保持能力を備えていることを特徴としている。さらに、該ヘッドと棒状あるいは筒状の支柱（４ｄ）と底面部分に両面粘着シートを貼り付けた立法型の台座（５ｅ）と組み合わせて構成することにより、家具上、家電製品上、あるいは自動車のダッシュボード上等に簡単に設置できることを特徴としたＣＤ・ＤＶＤフローティングホルダー。「図１」を参照とする。
【請求項３】
「請求項１」に記載した特徴を有する該円錐型ヘッドの先端部分を湾曲させた湾曲型ヘッド（８ａ）は、ＣＤ・ＤＶＤを任意の角度で保持することでラベル等の確認が容易にできることを特徴とし、また、ＣＤ・ＤＶＤの着脱がよりスムースに行えることを特徴としている。さらに、該ヘッドとスプリング支柱（９ｄ）と底面部分に両面粘着シートを貼り付けたプレート型台座（１０ｅ）と組み合わせて構成することにより、家具上、家電製品上、あるいは自動車のダッシュボード上等に簡単に設置できることを特徴としたＣＤ・ＤＶＤフローティングホルダー。「図３」を参照とする。
【請求項４】
「請求項１」に記載した特徴を有する多角錐型ヘッド（１３ａ）は、ＣＤ・ＤＶＤを保持する任意の位置の断面が円形でなくともＣＤ・ＤＶＤを保持することが可能であることを特徴としている。さらに、該ヘッドと針金入りラバーチューブ（１５ｄ）と組み合わせることにより、該ヘッド部分を自由な向きや角度に調節可能なことを特徴とし、さらに吸盤式台座（１６ｅ）と組み合わせることによりガラス面やパソコン等の表面が滑らかな垂直面に設置できることを特徴としたＣＤ・ＤＶＤフローティングホルダー。「図５」を参照とする。
【請求項５】
「請求項１」に記載した特徴を有する弾頭型ヘッド（１８ａ）は、ＣＤ・ＤＶＤが保持される任意の位置を先端から長く距離をとることにより、自動車内等に設置した場合等、振動等の影響があった場合でもＣＤ・ＤＶＤが落下する可能性の少ない形態である事を特徴としている。さらに、該ヘッドとフレキシブルチューブ（２０ｄ）とワニ口クリップ（２２ｅ）と組み合わせて構成することにより、自動車のエアコン送風口等に簡単に設置でき、該ヘッド部分を自由な向きや角度に調節できることを特徴としたＣＤ・ＤＶＤフローティングホルダー。「図７」を参照とする。
【請求項６】
「請求項１」に記載した特徴を有する該湾曲型ヘッドと台座を一体化（２５ａ）することにより、シンプルかつ堅牢な構造であることを特徴としている。さらに、卓上等に据え置いて使用することも、あるいは、底面部分に貼り付けた両面粘着シート（２７）を使用することで、該ヘッド先端部分を上に向けて垂直面に設置（図１０）することが可能であり、安定した保持能力を備えていること特徴としたＣＤ・ＤＶＤフローティングホルダー。
【発明の詳細な説明】
【技術分野】
【０００１】  本発明はコンパクトディスクやデジタルバーサティルディスク（以下ＣＤ・ＤＶＤと称す）自体の両面を露出させたまま卓上等に接触させることなく、簡単に保持できるＣＤ・ＤＶＤ専用ホルダーに関するものである。
【背景技術】
【０００２】  従来のＣＤ・ＤＶＤホルダーは専用ケースごと保持するタイプものや、あるいはＣＤ・ＤＶＤ自体を別の収納用具に収納するタイプのホルダーは多数あったが、ＣＤ・ＤＶＤ自体を露出させたまま保持できるホルダーはごく少数であった。さらに、ＣＤ・ＤＶＤ自体の両面を卓上等に接触させることなく保持でき、かつ、簡単に設置できるＣＤ・ＤＶＤ専用ホルダーに関しては未だにない。
【発明の開示】
【発明が解決しようとする課題】
【０００３】  現在、ＣＤ・ＤＶＤは大勢の人々が活用しており、その使用頻度は計りしれない。ＣＤ・ＤＶＤを使用する際の一般的な行程は、ＣＤ・ＤＶＤをケースから取り出し、記録再生機やパソコンに挿入する。または、その反対の動作を繰り返す。この一連の動作の中では、既に記録再生機やパソコンにＣＤ・ＤＶＤが入っていたり、あるいは、収納しようとするケースが見つからなっかたりする場合があり、一時的にＣＤ・ＤＶＤを卓上等に直接置いてしまうことが度々ある。【０００４】  その結果、ＣＤ・ＤＶＤにキズが付いて記録データが損なわれたり、あるいは埃等が付着したままのＣＤ・ＤＶＤを記録再生機やパソコンに挿入してしまい、故障の原因になることがある。【０００５】  さらに、自動車を運転中の場合は、入れ替えるＣＤ・ＤＶＤの置き場に困り、手に持ったＣＤ・ＤＶＤをどこに置こうか迷い、片手運転している時間が長くなると伴に運転に集中できず大変危険である。【０００６】  よって、本発明は誰もが簡単にＣＤ・ＤＶＤ自体の両面を露出させたまま卓上等に接触させることなく保持できるＣＤ・ＤＶＤホルダーを提供すること。本ホルダーが家具上、家電製品上、柱、壁面、窓等に設置可能であること。または自動車のダッシュボード周辺等の箇所にも設置可能であること。
【課題を解決するための手段】
【０００７】  本ホルダーの主要部分（以下ヘッドと称す）の形態（１ａ）は先端の直径または幅がＣＤ・ＤＶＤの中央円孔よりも小さく（ｘ）、ＣＤ・ＤＶＤの中央円孔に容易に差し込めることができる寸法にし、かつ、先端から約１０ミリメートルから約５０ミリメートルの範囲内の任意の位置（２ｂ）でホルダーの直径または幅がＣＤ・ＤＶＤの中央円孔の直径の近似値である１５ミリメートル程度に達する任意の斜度または円弧で形成させることにより、該斜度または円弧の延長上にある該ヘッドの底面部分（ｙ）の直径または幅がＣＤ・ＤＶＤの中央円孔よりも大きい形態とする。【０００８】  したがって、該ヘッドの形態により、ＣＤ・ＤＶＤの中央円孔を該ヘッドに通した際、ＣＤ・ＤＶＤの中央円孔が該ヘッドの任意の位置で塞がれることにより、ＣＤ・ＤＶＤの両面を露出させたまま卓上等に接触することなく保持する事が可能となる。【０００９】  該ヘッド部分の底面に受け穴（３ｃ）を設け、支柱（４ｄ）を差し込み結合させる。さらに、支柱を支える台座（６ｆ）にも受け穴を設け、支柱を差し込み結合させる。このように３つの部位で本ホルダー全体を構成する。【００１０】  さらに、台座の底面に両面粘着シート（７）を貼り付けて、設置箇所に固定することも可能とする。
【発明の効果】
【００１１】  本発明のＣＤ・ＤＶＤフローティングホルダーは、家具上、家電製品上、柱、壁面、窓等の屋内、あるいは自動車のダッシュボード周辺等の箇所にも簡単に設置できるので、記録再生装置やパソコン等の身近な場所に本ホルダーを設置しておけば、ＣＤ・ＤＶＤ自体の両面を露出させたまま卓上等に接触させることなく簡単に保持させることが可能になる。【００１２】  したがって、ＣＤ・ＤＶＤにキズが付いて内容データが損なわれたりせず、また、埃やゴミが付着したＣＤ・ＤＶＤを記録再生装置やパソコン等に挿入する機会が減り、装置の故障の原因を軽減する効果がある。【００１３】  また、自動車の運転時にＣＤ・ＤＶＤを入れ替える際は、片手に持ったまま置き場所を探す時間が短縮され、安全運転につながる効果もある。【００１４】  ＣＤ・ＤＶＤは他の記録メディアと比べて記録面が露出されている分デリケートであるが結え、扱う我々も慎重にならざるおえないが、度々、専用ケースに収納するのが少々煩わしい時がある。その時、一時的ではあるが、本ホルダーにＣＤ・ＤＶＤ保持させておくことにより、煩わしさから解放される効果もある。
【発明を実施するための最良の形態】
【００１５】  本ホルダーの特徴を利用すれば、デザイン形態は様々に応用可能である事から、以下に数例の図を参照して説明する。
【実施例１】
【００１６】  「図１」を参照とする。円錐型ヘッドの形態（１ａ）は、先端部の直径が約５ミリメートルから約１０ミリメートル程度の範囲内の半球型（ｘ）とし、先端から約１０ミリメートルから約３０ミリメートル程度の範囲内の任意の位置（２ｂ）で該ヘッドの直径または幅がＣＤ・ＤＶＤの中央円孔の直径の近似値である１５ミリメートル程度に達するように任意の斜度で形成させる。したがって、該斜度の延長上にある該ヘッドの底面部（ｙ）の直径または幅がＣＤ・ＤＶＤの中央円孔よりも大きくなる円錐型の形態である。【００１７】  次に、該円錐型ヘッドの底面部分中央に受穴（３ｃ）を設け、該ヘッドとＣＤ・ＤＶＤを合わせた重量を支えることのできる強度を備えた棒状や筒状の支柱（４ｄ）の片側端面を該円錐型ヘッドの受穴（６ｆ）に差し込み結合させる。【００１８】  次に、該支柱の反対側端面を支える台座として、立方体型の台座（５ｅ）にも受穴（６ｆ）を設け、そこに該支柱を差し込み結合させる。【００１９】  さらに、該台座の底面部に両面粘着シート（７）を貼り付け、本ホルダーを設置箇所に固定させることを可能にする。
【実施例２】
【００２０】  「図３」を参照とする。該円錐型ヘッドの先端部分を任意の角度に湾曲させたヘッド形態例（８ａ）。該ヘッド先端を湾曲させることによって、ＣＤ・ＤＶＤは傾いた状態で保持されるようになる。底面部分の構造は該円錐型ヘッドと同様である。【００２１】  支柱部分にスプリング（９ｄ）を使用する。この際、「実施例１」と同様に該ヘッドとＣＤ・ＤＶＤを合わせた重量を支えることのできる強度を備えたスプリングを使用する。結合方法は「実施例１」と同様である。【００２２】  台座部分にプレート型（１０ｅ）を使用する。プレート型の上側中央に突出した差し込み口（１１ｆ）を設け、該スプリング支柱を差し込み結合させる。プレート型台座の底面部分に両面粘着シート（１２）を張り付け、本ホルダーを設置箇所に固定させることを可能にする。
【実施例３】
【００２３】  「図５」を参照とする。該ヘッド部分の形態を多角錐型（１３ａ）にした例。円錐形でなくとも、本ホルダーの特徴である任意の位置（１４ｂ）で幅が１５ミリメートルに達する斜度で形成される多角錐型であれば、該任意の位置でＣＤ・ＤＶＤを保持することが可能である。底面部分の構造は該円錐型ヘッドと同様。【００２４】  支柱として針金入りラバーチューブ（１５ｄ）を使用し、該ヘッド部分を自由な角度に調節可能にする。この際、該ヘッドとＣＤ・ＤＶＤを合わせた重量を支えることのできる強度を備えた針金入りラバーチューブを使用する。結合方法は「実施例１」と同様である。【００２５】  台座として吸盤（１６ｅ）を使用し、吸盤の上側中央に突出した差し込み口（１７ｆ）を設け、針金入りラバーチューブ支柱を差し込み結合させる。
【実施例４】
【００２６】  「図７」を参照とする。ヘッド部分の形態を弾頭型（１８ａ）にした例。先端から約３０ミリメートルから約４０ミリメートル程度の範囲内の任意の位置（１９ｅ）で直径が約１５ミリメートルに達する円弧を形成することにより該任意の位置でＣＤ・ＤＶＤを保持できる形態である。底面部分の構造は円錐型と同様である。【００２７】  支柱としてフレキシブルチューブ（２０ｄ）を使用することによって、該ヘッド部分を自由な角度に調節可能にする。フレキシブルチューブの両端に設けられたニップル（２１）の片側をヘッドにねじ込み固定する。【００２８】  台座としてワニ口クリップ（２２ｅ）を使用する。ワニ口クリップの穴（２３）に該フレキシブルチューブの片側のニップルを通しワニ口クリップの内側からナット（２４）で締めて固定する。
【実施例５】
【００２９】  「図９」を参照とする。該湾曲型ヘッドと台座を一体化（２５ａ）した例。該湾曲型ヘッドの任意の位置（２６ｂ）から底面部分までの距離を長く設けることで、円弧に沿って底面部分の直径が広がることにより、別途台座を必要としなくとも、安定した設置が可能である。【００３０】  さらに、底面に両面粘着シート（２７）を貼ることにより、該ヘッド先端部分を上に向けて垂直面に設置（図１０）して使用することも可能である。
【産業上の利用可能性】
【００３１】  前記した数種類のＣＤ・ＤＶＤフローティングホルダーの形態はごく一部であり、様々なデザイン形態、あるいは、素材で応用して利用することが可能である。
【図面の簡単な説明】
【００３２】
【図１】  本発明の実施例１の斜図である。
【図２】  本発明の実施例１にＣＤを保持した状態を示す斜図である。
【図３】  本発明の実施例２の斜図である。
【図４】  本発明の実施例２にＣＤを保持した状態を示す斜図である。
【図５】  本発明の実施例３の斜図である。
【図６】  本発明の実施例３にＣＤを保持した状態を示す斜図である。
【図７】  本発明の実施例４の斜図である。
【図８】  本発明の実施例４にＣＤを保持した状態を示す斜図である。
【図９】  本発明の実施例５の斜図である。
【図１０】  本発明の実施例５を垂直面に設置し、ＣＤを保持した状態を示す斜図である。
【符号の説明】
【００３３】  ｙ    ヘッド先端部径
ｘ    ヘッド底面部径
１ａ  ホルダー主要部分（ヘッド）、円錐型ヘッド
２ｂ  任意の位置（ＣＤ・ＤＶＤ保持位置）
３ｃ  ヘッド底面受穴
４ｄ  棒状支柱                      ２２ｅ  ワニ口クリップ
５ｅ  立方体型台座                  ２３    ワニ口クリップ穴
６ｆ  台座受穴                      ２４    ナット
７    両面粘着シート                ２５ａ  一体型ホルダー
８ａ  湾曲型ヘッド                  ２６ｂ  任意の位置（ＣＤ・ＤＶＤ保持位置）
９ｄ  スプリング支柱                ２７    両面粘着シート
１０ｅ  プレート型台座
１１ｆ  プレート差し込み口
１２    両面粘着シート
１３ａ  多角錐型ヘッド
１４ｂ  任意の位置（ＣＤ・ＤＶＤ保持位置）
１５ｄ  針金入りラバーチューブ
１６ｅ  吸盤
１７ｆ  吸盤差し込み口
１８ａ  弾頭型ヘッド
１９ｂ  任意の位置（ＣＤ・ＤＶＤ保持位置）
２０ｄ  フレキシブルチューブ
２１    ニップル
【図１】
2005212897.tif 000003
【図２】
2005212897.tif 000004
【図３】
2005212897.tif 000005
【図４】
2005212897.tif 000006
【図５】
2005212897.tif 000007
【図６】
2005212897.tif 000008
【図７】
2005212897.tif 000009
【図８】
2005212897.tif 000010
【図９】
2005212897.tif 000011
【図１０】
2005212897.tif 000012